(57)【要約】 【課題】  画像形成装置２００と紙折り装置１との組合せであるシート処理装置の、オペレータ操作性をよくする。【解決手段】  画像形成装置は、第１入力手段２２０，入力された紙折り情報ならびに第２転送４１１が転送してくる紙折り情報を第１記憶４０２に登録する手段４０１，第１記憶に登録された入力された紙折り情報を紙折り装置に転送する第１転送４０１、および、第１記憶に登録がある紙折り情報に基づく、「オンライン折り」を紙折り装置に指示する手段４０１を備え、紙折り装置は、第２入力手段２０，入力された紙折り情報ならびに第１転送が転送してくる紙折り情報を第２記憶４１２に登録する手段４１１，第２記憶に登録された入力された紙折り情報を画像形成装置に転送する第２転送、および、第２入力手段が指定した、第２記憶に登録がある紙折り情報に基づく、「オフライン折り」を実行する制御手段４１１を備える。【選択図】  図７
2007238256.tif 000002
【特許請求の範囲】
【請求項１】
シート処理装置において、紙折り情報を入力する入力手段と、前記入力手段により入力された情報を記憶する記憶手段とをそれぞれ複数備え、一方の記憶手段に記憶された紙折り情報を、他方の記憶手段へ転送する転送手段を備えたことを特徴とするシート処理装置。
【請求項２】
用紙上に画像を形成する画像形成装置と、該画像形成装置が送出する画像形成済用紙を自動的に折る「オンライン折り」モードおよびオペレータが手差しする用紙を自動的に折る「オフライン折り」モードを有する紙折り装置とを備えるシート処理装置において、
前記画像形成装置は、第１の紙折り情報入力手段，入力された紙折り情報を第１記憶手段に登録する手段，第１記憶手段に登録された紙折り情報を前記紙折り装置に転送する第１転送手段、および、第１記憶手段に登録がある紙折り情報に基づく、「オンライン折り」モードの紙折りを前記紙折り装置に指示する手段を備え、
前記紙折り装置は、第１転送手段が転送してくる紙折り情報を登録する第２記憶手段，第２記憶手段に登録された紙折り情報の紙折りを指示する第２の紙折り情報入力手段、および、第２の紙折り情報入力手段が指定した、第２記憶手段に登録がある紙折り情報に基づく、「オフライン折り」モードの紙折りを実行する制御手段を備える、ことを特徴とするシート処理装置。
【請求項３】
用紙上に画像を形成する画像形成装置と、該画像形成装置が送出する画像形成済用紙を自動的に折る「オンライン折り」モードおよびオペレータが手差しする用紙を自動的に折る「オフライン折り」モードを有する紙折り装置とを備えるシート処理装置において、
前記紙折り装置は、第２の紙折り情報入力手段，入力された紙折り情報を第２記憶手段に登録する手段，第２記憶手段に登録された紙折り情報を前記画像形成装置に転送する第２転送手段、および、第２の紙折り情報入力手段が指定した、第２記憶手段に登録がある紙折り情報に基づく、「オフライン折り」モードの紙折りを実行する制御手段を備え、
前記画像形成装置は、前記第２転送手段が転送してくる紙折り情報を登録する第１記憶手段，第１記憶手段に登録された紙折り情報の紙折りを指示する第１の紙折り情報入力手段、および、第１記憶手段に登録がある紙折り情報に基づく、「オンライン折り」モードの紙折りを前記紙折り装置に指示する手段を備える、
ことを特徴とするシート処理装置。
【請求項４】
用紙上に画像を形成する画像形成装置と、該画像形成装置が送出する画像形成済用紙を自動的に折る「オンライン折り」モードおよびオペレータが手差しする用紙を自動的に折る「オフライン折り」モードを有する紙折り装置とを備えるシート処理装置において、
前記画像形成装置は、第１の紙折り情報入力手段，入力された紙折り情報ならびに第２転送手段が転送してくる紙折り情報を第１記憶手段に登録する手段，第１記憶手段に登録された入力された紙折り情報を前記紙折り装置に転送する第１転送手段、および、第１記憶手段に登録がある紙折り情報に基づく、「オンライン折り」モードの紙折りを前記紙折り装置に指示する手段を備え、
前記紙折り装置は、第２の紙折り情報入力手段，入力された紙折り情報ならびに第１転送手段が転送してくる紙折り情報を第２記憶手段に登録する手段，第２記憶手段に登録された入力された紙折り情報を前記画像形成装置に転送する第２転送手段、および、第２の紙折り情報入力手段が指定した、第２記憶手段に登録がある紙折り情報に基づく、「オフライン折り」モードの紙折りを実行する制御手段を備える、
ことを特徴とするシート処理装置。
【請求項５】
前記転送手段にて転送する紙折り情報は、大判のシートを規定の大きさに折りたたむための紙折りの態様，シートをファイリングする為のパンチ穿孔実行有無のためのパンチ情報、および、スタンプの押印有無のためのスタンプ情報を含む、請求項１乃至４のいずれか１つに記載のシート処理装置。
【請求項６】
前記転送手段にて転送する紙折り情報は更に、前記紙折りの折り位置を調整する為の折り位置補正情報，前記パンチ穿孔する位置を調整する為のパンチ位置補正情報、および、綴じ代量を調整する綴じ代調整情報を含む、請求項５に記載のシート処理装置。
【請求項７】
シート処理装置は更に、一方の記憶手段に記憶された紙折り情報を呼び出す呼び出し手段を備え、前記転送手段は、前記呼び出し手段による呼び出し動作に基づき、前記紙折り情報を転送する、請求項１乃至６のいずれか１つに記載のシート処理装置。
【請求項８】
前記記憶手段は不揮発性メモリである、請求項１乃至７のいずれか１つに記載のシート処理装置
【請求項９】
前記転送手段は、シート処理装置の電源が入った直後に前記紙折り情報を転送する、請求項８に記載のシート処理装置。
【請求項１０】
前記転送手段は、シリアル通信により前記紙折り情報を転送する、請求項１乃至９のいずれか１つに記載のシート処理装置。
【発明の詳細な説明】
【技術分野】
【０００１】
本発明は、画像形成装置およびシート折り装置を備えるシート処理装置に関する。該画像形成装置はたとえばプリンタ，複写機あるいはファクシミリであり、シート折り装置は、紙折り機構および必要に応じてパンチ，印字機構をそなえるフォルダあるいはフィニッシャである。
【背景技術】
【０００２】
一般にＡ０，Ａ１等の大判のシートに複写可能な電子複写機を使用する際、これらの大判のシートをそのまま保管したり、あるいは大判のままで取り扱ったのでは保管スペースが大きくなったり、またはその取り扱いが不便である為、通常はシートを折りたたんで収納、取り扱うこととなる。しかしながら、シートの折りたたみ作業を手動で行った場合にはかなりの時間を要してしまい、シートの折りたたみに要する時間が複写に要する時間よりかかってしまう場合もある。
【０００３】
このようなことから、複写機のシート排出路に自動的にシートを折りたたむことが出来る紙折り機を配置し、複写した大判のシートを連続して自動で折りたたむことが可能となるシステムがある。またこのようなシステムに使用される紙折り機では、複写機から排出されるシートを自動で折りたたむ「オンライン折り」の他に、既に複写し折りたたまずに排出してしまったシートや、他の画像形成装置などで作成した大判のシートを、オペレータ操作に基づいて折りたたむ「オフライン折り」の機能を有している場合がある。
【０００４】
ところで複写機のシート排出路に紙折り機を配置するためには、一般に、複写機のオペレータが操作する側を前面とすると、背面にシート排出路があり、紙折り機はその後方に配置されることになる。そして、「オフライン折り」を行う為の紙折り機のシート挿入口は、複写機の後方に配置された紙折り機の後部、すなわち複写機の前面からは反対側にある場合がほとんどである。オペレータは、複写または複写と連続して紙折りを行う「オンライン折り」は、複写機の前面に取り付けられた操作部により、「オンライン折り」に必要な各種情報を入力、または「オンライン折り」の際の情報が表示され、作業を行うが、「オフライン折り」の場合は、「オフライン折り」のシート挿入口が前記の操作部とは反対側にあるため、作業性を向上させる為に、複写機前面に取り付けられた操作部と同程度の、「オフライン折り」の為の入力、表示を行う為の操作部を、「オフライン折り」のシート挿入口付近に装備するのが好ましい。
【０００５】
また、「オフライン折り」，「オンライン折り」共に、紙折りを行う為には通常、紙折りを行う用紙サイズや折り種類、その他に用紙端面を折り込む耳折りやパンチスタンプの機能を有した紙折り装置ならば、それらの実行の有無の設定、また、折りサイズやスタンプ位置の調整など、多くの設定を行わなければならず、例えば特許文献１では、紙折りの際の設定入力を簡便にする方法が紹介されている。
【０００６】
【特許文献１】特開２００３−２９２２３８号公報。
【０００７】
特許文献１のシート処理装置は、画像形成システムおよび紙折り方法原稿長さサイズの情報に応じてロール紙２を切断する手段と、原稿幅サイズの情報に応じて対応する幅のロール給紙段を選択する手段と、前記ロール紙に画像を転写する手段を備えた複写機１と、この複写機１からのロール紙２を折り込む紙折り装置４とをシリアルケーブル５で接続し、複写機１からのロール紙２を紙折り装置４で折り込む紙折り制御装置を備える。複写機１には画像用紙サイズ，紙折り方式，綴じ代，折り幅，スタンプ有無，スタンプ位置のような紙折りの制御条件を記憶登録するＣＰＵ７およびメモリ８が設けられ、紙折り装置４には、複写機１で設定した用紙の紙折りモード条件の信号により、その紙折りモードにて作動して前記用紙を折るように制御するＣＰＵ１２が設けられている。
【発明の開示】
【発明が解決しようとする課題】
【０００８】
このように複写機と紙折り機が連結されたシート処理装置で、「オンライン折り」，「オフライン折り」の両方でオペレータの操作性を向上させようとした場合、複写機，紙折り機の両方に同程度の操作部が必要となってしまい、システムの価格が上がってしまう事となる。また、「オンライン折り」／「オフライン折り」双方で紙折りの条件設定は同様なものであるが、例えば紙折りサイズの調整値など、シート処理の都度で必ずしも入力が必要でない操作に関しても、「オンライン折り」を行う場合は複写機前面の操作部、「オフライン折り」を行う場合は紙折り機に備わった操作部から入力せねばならず、双方に操作部がある事により入力操作に関しては作業性が良くなるが、同様の設定を双方の操作部で繰り替えさなければならない場合があり、必ずしも利便性が良いとは限らない。
【０００９】
本発明は、「オフライン折り」および／又は「オンライン折り」を指示するための、オペレータの操作性をよくすることを目的とする。
【課題を解決するための手段】
【００１０】
（１）シート処理装置において、シート処理に関する情報を入力する入力手段と、前記入力手段により入力された情報を記憶する記憶手段とをそれぞれ複数備え、一方の記憶手段に記憶された紙折り情報を、他方の記憶手段へ転送する転送手段を備える。
【発明の効果】
【００１１】
シート処理に関する情報を入力する入力手段と、前記入力手段により入力された情報を記憶する記憶手段とをそれぞれ複数備え、一方の記憶手段に記憶された紙折り情報を、他方の記憶手段へ転送する転送手段を備えることにより、画像形成装置と紙折り装置双方で同様の操作を繰り返す必要が無くなり、操作性に優れたシート処理装置を提供する事が出来る。
【発明を実施するための最良の形態】
【００１２】
（２）用紙上に画像を形成する画像形成装置(200)と、該画像形成装置が送出する画像形成済用紙を自動的に折る「オンライン折り」モードおよびオペレータが手差しする用紙を自動的に折る「オフライン折り」モードを有する紙折り装置(1)とを備えるシート処理装置において、
前記画像形成装置(200)は、第１の紙折り情報入力手段(220)，入力された紙折り情報を第１記憶手段(402)に登録する手段，第１記憶手段に登録された紙折り情報を前記紙折り装置に転送する第１転送手段(401)、および、第１記憶手段に登録がある紙折り情報に基づく、「オンライン折り」モードの紙折りを前記紙折り装置に指示する手段(401)を備え、
前記紙折り装置(1)は、第１転送手段が転送してくる紙折り情報を登録する第２記憶手段(412)，第２記憶手段に登録された紙折り情報の紙折りを指示する第２の紙折り情報入力手段(20)、および、第２の紙折り情報入力手段が指定した、第２記憶手段に登録がある紙折り情報に基づく、「オフライン折り」モードの紙折りを実行する制御手段(411)を備える、ことを特徴とするシート処理装置。なお、理解を容易にするために括弧内には、図面に示し後述する実施例の、対応要素または相当要素の記号を、例示として参考までに付記した。以下も同様である。
【００１３】
（３）用紙上に画像を形成する画像形成装置(200)と、該画像形成装置が送出する画像形成済用紙を自動的に折る「オンライン折り」モードおよびオペレータが手差しする用紙を自動的に折る「オフライン折り」モードを有する紙折り装置(1)とを備えるシート処理装置において、
前記紙折り装置(1)は、第２の紙折り情報入力手段(20)，入力された紙折り情報を第２記憶手段(412)に登録する手段，第２記憶手段に登録された紙折り情報を前記画像形成装置(200)に転送する第２転送手段(411)、および、第２の紙折り情報入力手段が指定した、第２記憶手段に登録がある紙折り情報に基づく、「オフライン折り」モードの紙折りを実行する制御手段(411)を備え、
前記画像形成装置(200)は、前記第２転送手段が転送してくる紙折り情報を登録する第１記憶手段(402)，第１記憶手段に登録された紙折り情報の紙折りを指示する第１の紙折り情報入力手段(220)、および、第１記憶手段に登録がある紙折り情報に基づく、「オンライン折り」モードの紙折りを前記紙折り装置(1)に指示する手段(401)を備える、
ことを特徴とするシート処理装置。
【００１４】
（４）用紙上に画像を形成する画像形成装置(200)と、該画像形成装置が送出する画像形成済用紙を自動的に折る「オンライン折り」モードおよびオペレータが手差しする用紙を自動的に折る「オフライン折り」モードを有する紙折り装置(1)とを備えるシート処理装置において、
前記画像形成装置(200)は、第１の紙折り情報入力手段(220)，入力された紙折り情報ならびに第２転送手段(411)が転送してくる紙折り情報を第１記憶手段(402)に登録する手段(401)，第１記憶手段に登録された入力された紙折り情報を前記紙折り装置(1)に転送する第１転送手段(401)、および、第１記憶手段に登録がある紙折り情報に基づく、「オンライン折り」モードの紙折りを前記紙折り装置に指示する手段(401)を備え、
前記紙折り装置(1)は、第２の紙折り情報入力手段(20)，入力された紙折り情報ならびに第１転送手段(401)が転送してくる紙折り情報を第２記憶手段(412)に登録する手段(411)，第２記憶手段に登録された入力された紙折り情報を前記画像形成装置(200)に転送する第２転送手段(411)、および、第２の紙折り情報入力手段が指定した、第２記憶手段に登録がある紙折り情報に基づく、「オフライン折り」モードの紙折りを実行する制御手段(411)を備える、
ことを特徴とするシート処理装置。
【００１５】
（５）前記転送手段にて転送する紙折り情報は、大判のシートを規定の大きさに折りたたむための紙折りの態様，シートをファイリングする為のパンチ穿孔実行有無のためのパンチ情報、および、スタンプの押印有無のためのスタンプ情報を含む、上記（１）乃至（４）のいずれか１つに記載のシート処理装置。これによれば、大判のシートを規定の大きさに折りたたむための紙折りの方法や、シートをファイリングする為のパンチ穿孔実行有無のためのパンチ情報、スタンプの押印有無のためのスタンプ情報の、シート後処理情報又は紙折り情報を有する事により、紙折り装置における紙折りの設定を、画像形成装置と紙折り装置双方で同様の操作を繰り返す必要が無くなり、操作性に優れたシート処理装置を提供する事が出来る。
【００１６】
（６）前記転送手段にて転送する紙折り情報は更に、前記紙折りの折り位置を調整する為の折り位置補正情報，前記パンチ穿孔する位置を調整する為のパンチ位置補正情報、および、綴じ代量を調整する綴じ代調整情報を含む、上記（５）に記載のシート処理装置。
【００１７】
これによれば、紙折りの折り位置を調整する為の折り位置補正情報、パンチ穿孔する位置を調整する為のパンチ位置補正情報、スタンプ押印する位置を調整するスタンプ位置補正情報など、紙折りの都度設定しなくても良いような調整値なども一度の設定により、画像形成装置と紙折り装置双方で記憶する事が可能となり、画像形成装置と紙折り装置双方で同様の設定操作を繰り返す必要が無くなり、操作性に優れたシート処理装置を提供する事が出来る。
【００１８】
（７）シート処理装置は更に、一方の記憶手段に記憶された紙折り情報を呼び出す呼び出し手段を備え、前記転送手段は、前記呼び出し手段による呼び出し動作に基づき、前記紙折り情報を転送する、上記（１）乃至（６）のいずれか１つに記載のシート処理装置。これによれば、画像形成装置と紙折り装置双方で同様の入力操作又は設定操作を繰り返す必要が無くなり、操作性に優れたシート処理装置を提供する事が出来る。
【００１９】
（８）前記記憶手段は不揮発性メモリである、上記（１）乃至（７）のいずれか１つに記載のシート処理装置。これによれば、紙折りの折り位置を調整する為の折り位置補正情報，前記パンチ穿孔する位置を調整する為のパンチ位置補正情報，前記スタンプ押印する位置を調整するスタンプ位置補正情報のような紙折りの条件を、電源をＯＦＦした後も保持する事が可能であり、シート処理装置を使用する都度、入力する手間を省く事が可能である。
【００２０】
（９）前記転送手段は、シート処理装置の電源が入った直後に前記紙折り情報を転送する、上記（８）に記載のシート処理装置。これによれば、不揮発メモリに保存してあった紙折り条件を転送する作業を意識することなく、自動で転送可能となる。
【００２１】
（１０）前記転送手段は、シリアル通信により前記紙折り情報を転送する、上記（１）乃至（９）のいずれか１つに記載のシート処理装置。これによれば、シリアル通信により、画像形成装置と紙折り装置の接続に要する配線を、少なく構成する事が可能となる。
【００２２】
本発明の他の目的および特徴は、図面を参照した以下の実施例の説明より明らかになろう。
【実施例１】
【００２３】
−第１実施例−
図１に本発明のシート処理装置の一実施例の縦断面の概要を示し、図２には、図１に示す紙折り装置１の、背面側Ａから見た一部機構の概要を示す。２００は画像形成装置の一形態である複写機、１は複写機２００の背面に連結した紙折り装置である。紙折り装置１は、複写機２００で画像が転写された用紙を搬入する「オンライン折り」用の、第１の用紙搬入口としての連結部２と、用紙先端の端面を折る端面折り部３と、用紙を搬送方向にジャバラ状に折るジャバラ折り部４と、ジャバラ状に折られた用紙を搬送方向を切り換える搬送切換部５、搬送方向を切り換えた用紙を折るクロス折り部６（図２）、クロス折り部６でＡ４の大きさに折られた用紙を表裏反転させる反転部７、さらに用紙を回転する回転部８およびトレイ９から成っている。また搬送切替部５には、用紙の縦位置または横位置にパンチ穿孔する為のパンチ部１０が備わっており、さらにトレイ９の手前には、折りたたまれた用紙にスタンプを押印する為のスタンプ部３０（図２）が備わっている。
【００２４】
また、紙折り装置１は、「オフライン折り」用の、第２の用紙搬入口としての手差し台１２を構成する手差し部１１を有し、用紙を写機装置本体２００を通さず（オフライン）挿入出来る構成となっている。
【００２５】
オペレータは、複写機２００で画像が転写された用紙を搬入し折る「オンライン折り」の条件設定は複写機２００に構成された操作部２２０により行う。また、紙折り装置１の手差し部１１により用紙を写機装置本体２００を通さず用紙を折る「オフライン折り」の条件設定は、紙折り装置１に構成された操作部２０により行う。
【００２６】
次に、複写機２００で画像が転写された用紙を搬入し折る「オンライン折り」による動作を説明する。オペレータはまず、複写機２００に構成された操作部２２０に用紙のサイズ，折りの種類等を設定する。複写機２００には画像読取装置（原稿スキャナ）２０５が配置されていると共に、その下部に手差し給紙台２０８が配置されている。この手差し給紙台２０８に記録用の用紙をセットすると、この用紙は、レジストローラ２０７により一時停止され、タイミングをとって作像ユニット２０６に供給される。作像ユニット２０６は、図示しない感光体に画像データに対応した潜像を形成し、この潜像をトナーにより現像し、このトナー像を用紙に転写する。用紙上のトナー像を、定着装置２１０が該用紙に定着（固定）する。定着装置２１０でトナーが定着された記録済用紙は記録済用紙排出ロール２１１により、紙折りを行う場合は紙折り機１へ排出される。また、紙折りを行わない場合は、図示されていない切換爪と上排紙ローラ２０９により、画像読取装置２０５の下部に排出される。
【００２７】
用紙を折る場合は、記録済用紙排出ロール２１１により用紙は紙折り機１に送られ、連結部２を通り、端面折り部３に用紙が搬送され、用紙端面を折る場合は、端面折り部３により用紙先端の端面が折られる。このとき用紙は搬送しながら用紙端面を折る。端面折り部３により用紙先端の端面を折られた後、用紙はジャバラ折り部４により搬送方向にジャバラ状に折られ、搬送切換部５に送られる。
【００２８】
搬送切替部５以降の動作は、図１のＡ矢視方向から見た図２を参照して説明する。搬送切換部５に送られたジャバラ状に折られた用紙は、図示しないジョガーによりスキュー補正を行い、次にパンチ穿孔が選択されている場合は、ジャバラ状に折られた用紙をパンチ穿孔し、クロス折り部６に用紙を送る。クロス折り部６に送られたジャバラ状に折られた用紙は、ジャバラ折りとは直交する方向に再度紙折りを行い、大判のシートを最終的にＡ４サイズの大きさに折り込む。なおＡ４サイズは、紙折りを行う際の一般的な仕上がり寸法であり、Ａ４とは異なるサイズに折りあげる場合もある。
【００２９】
Ａ４サイズに折られた用紙は、トレイ９に排出した時に転写面が下になるように折り種類によっては用紙を反転部７により反転し、さらにトレイ９に排出した時に図面の向きが揃う様に、折り種類によっては、用紙が同一の向きになるように回転部８にて左右９０°回転し、トレイ９に排出する。スタンプ押印が選択されている場合は、スタンプ部３０にて一旦用紙を停止させ、スタンプを押印してからトレイ９に排出する。
【００３０】
次に、紙折り装置１の手差し部１１により用紙を、複写機２００を通さずに折る、「オフライン折り」の動作を説明する。オペレータは、紙折りを行いたい用紙を図１に示す手差し台１２にセットし、用紙を図１の矢印方向に挿入する。紙折り装置１は、用紙サイズセンサ１４により用紙を検知し、あるタイミングで手差し搬送ローラ対１３を回転駆動し、用紙Ｐをくわえ込み一端停止する。オペレータは次に、紙折り装置１に装備した操作部２０にて用紙のサイズ，折りの種類等を設定し、スタートボタンを押す。すると紙折り装置１が、手差し搬送ローラ対１３を再度回転駆動し、用紙Ｐを矢印方向に搬送し、端面折り部３に用紙を送る。その後の動作は上述の「オンライン折り」の動作と同様である。
【００３１】
図３は、以上説明してきた複写機２００と、紙折り装置１の各構成要素を制御する電気システムの概要を示した制御ブロック図である。複写機２００には、本体制御ＣＰＵ４０１と、複写や紙折りのための各種条件を記憶する為の本体メモリ４０２があり、本体制御ＣＰＵ４０１には複写機の操作部２２０が接続され、操作部２２０で指定した複写や紙折りのための各種条件は本体制御ＣＰＵ４０１によって、本体メモリ４０２に記憶される。また、複写機を動作させる為の各モータや定着ヒータ等の本体駆動装置４０３が接続されており、本体制御ＣＰＵ４０１により制御される。
【００３２】
紙折り装置１には、複写機２００と同様に、紙折り制御ＣＰＵ４１１，紙折りメモリ４１２および紙折り駆動装置４１３がある。各々の動作は、上述の複写機２００の場合と同様である。本体制御ＣＰＵ４０１と紙折り制御ＣＰＵ４１１は、シリアルケーブル４０４にてシリアル接続され、複写機２００と紙折り装置１の各種情報を、シリアル通信で双方にやり取りする事ができる。
【００３３】
図４に、紙折り装置１に構成された操作部２０の操作面を示す。操作部２０には、入力手段として、紙折りを行う用紙のサイズを指定する用紙サイズ選択ボタン３０１，耳折りまたはパンチの有り無しを指定するパンチ／耳折りボタン３０２，紙折りの仕上がり状態（折り種類）の指定とジャバラ折りの折り上がりサイズの補正，クロス折りの折上がりサイズの補正および綴じ代のサイズの補正のそれぞれの値を指定するためのプラス／マイナスボタン３０４とそれらの入力を切り替える為のモード選択ボタン３０３，スタンプ押印の有無を指定するスタンプボタン３０６，用紙のスタートを促すスタートボタン３０５，後述するプログラム折りを設定する為の各ボタンであるプログラム登録ボタン３０９とプログラム有効／無効ボタン３１０，プログラム番号選択プラス／マイナスボタン３１１、および、紙折りメモリ４１２に記憶された紙折り条件の情報を、本体メモリ４０２に転送するための転送ボタン３０７、がある。
【００３４】
また、操作設定を表示する為の表示手段として、指定された用紙のサイズを表示する用紙サイズ表示部３２０，またその用紙を縦にして紙折り装置１に挿入するか、横にして挿入するかを表示するための用紙縦／横表示部３２１，指定された折り種類とジャバラ折りの折り上がりサイズの補正値，クロス折りの折上がりサイズの補正値，綴じ代のサイズの補正のそれぞれの値を切り替えて表示するための折りモード表示部３２２，その折りモード表示部に表示されている値のいずれかを示す為の、折りモード表示指定表示部３２３，耳折りの指定の有無を表示する耳折り表示部３２４，パンチの指定の有無を表示するパンチ表示部３２５，スタンプの指定の有無を表示するスタンプ表示部３２６，「オフライン折り」により紙折りを挿入した後、用紙のスタートが可能になり、スタートボタン３０５の押下を促す為に表示するスタート表示部３２７，後述するプログラム折りを行う状態になっているかを表示するプログラム折り有効表示部３２８，指定されているプログラム折り番号を表示するプログラム番号表示部３２９等、がある。
【００３５】
次に「オフライン折り」の手順を、図２及び図６のフローチャートを用いて説明する。オペレータは、紙折りを行いたい用紙を手差し台１２（図１）にセットし、用紙を図１の矢印方向に挿入する。折り装置１は、用紙サイズセンサ１４により用紙を検知し、あるタイミングで手差し搬送ローラ対１３（図１）を回転駆動し、用紙Ｐをくわえ込み一端停止し（図６のＳ７０１）、この後オペレータは、操作部２０にて「オフライン折り」の各条件を設定する（Ｓ７０２〜Ｓ７０５）。
【００３６】
操作部２０を用いる「オフライン折り」の各条件設定の方法を説明する。まず用紙サイズ選択ボタン３０１にて、用紙Ｐのサイズを指定する（Ｓ７０２）。用紙サイズ選択ボタン３０１を一回押下する毎に、操作部２０は、異なる用紙のサイズを用紙サイズ表示部３２０に表示する。またその用紙の縦／横も、順に用紙縦／横表示部３２１に表示する。例えば、オペレータが用紙サイズ選択ボタン３０１を１回押下すると、操作部２０は、用紙サイズ表示部３２０にＡ１と表示し、用紙縦／横表示部３２１の縦を示す表示を点灯し、オペレータが次にもう一度用紙サイズ選択ボタン３０１を押下すると、用紙サイズ表示部３２０はそのままＡ１を表示し、用紙縦／横表示３２１の縦を示す表示は消灯し、横を示す表示が点灯するというように、用紙サイズとその縦／横の選択を、表示する。
【００３７】
次に折り種類を指定する（Ｓ７０３）わけだが、図４で示された操作部２０の例では、折りモード表示指定表示部３２３が消灯している場合、折りモード表示部３２２に表示されている値により、現在選択されている折種類を数値にて表す事ができる。例えば折り種類には、基本折り，ファイル折り，袋折りなどがあるが、折りモード表示部３２２に１が表示されていれば基本折り、２が表示されていればファイル折りといった具合に表される。このときプラス／マイナスボタン３０４を押下毎に、折りモード表示部３２２の値が変化していき、折り種類を選択することができる。
【００３８】
基本的な紙折りの為の設定は以上のような手順で完了であるが、任意にて用紙の端面を折り込むための耳折りおよびパンチ穿孔を選択する為に、パンチ／耳折りボタン３０２を押下してこれらの有無を選択することも可能である（Ｓ７０４）。パンチ，耳折りの選択状態は、耳折り表示部３２４、パンチ表示部３２５にてその状態が表示される。同様にスタンプ押印の有無も、スタンプボタン３０６およびスタンプ表示部３２６にて選択可能である。
【００３９】
図５の（ａ）〜（ｃ）に、Ａ１の図面をファイル折りに折り込む紙折りの一態様を示す。図５の例では、５０１が示す２１０（ｍｍ）が、ジャバラ折りの仕上がりサイズであり、５０２で示す２９７（ｍｍ）がクロス折りの仕上がりサイズである。図５の（ｄ）には、ファイル折りをする際の、ジャバラ折りを行った用紙の断面を示す。図５の（ｄ）では、６０１で指す長さが綴じ代となり、綴じ代６０１の部分にパンチ穿孔を行うものである。これらのサイズも、操作部２０に対する入力で調整可能であり、オペレータは、モード選択ボタン３０３（図４）を押下し、折りモード表示指定表示部３２３のジャバラ折り補正表示が点灯し、クロス折り補正，綴じ代調整が消灯している場合、折りモード表示部３２２に表示される値は、ジャバラ折りの仕上がりサイズ５０１の調整値を表し、プラス／マイナスボタン３０４を押下し、折りモード表示部３２２に表示される値を加減し、補正値を指定する。同様に折りモード選択ボタン３０３を再び押下すると、折りモード表示指示表示部３２３はクロス折り補正表示を点灯し、ジャバラ折り補正，綴じ代調整が消灯し、プラス／マイナスボタン３０４と折りモード表示部３２２によりクロス折り仕上がりサイズ５０２を調整する事が出来、また同様の手順にて綴じ代６０１も調整することが可能である（Ｓ７０５）。
【００４０】
以上のように紙折りの際の各条件を操作部２０にて指定した後、紙折り装置１が紙折り処理が可能な状態であれば、スタート表示部３２７が点灯している為、オペレータがスタートボタン３０５を押下すると（Ｓ７０６）、紙折り装置１は挿入された用紙を搬送開始し、操作部２０で指定された条件にて紙折り処理を行う（Ｓ７０７）。
【００４１】
「オンライン折り」用には、以上までで説明した操作部２０と同等の入力，表示が可能な操作面が、複写条件入力操作面に加えて、操作部２２０に備わっており、操作部２２０で指定した複写条件で印刷した用紙が自動的に、操作部２２０で指定した紙折り条件で「オフライン折り」での紙折り処理が行われる。
【００４２】
ところで、より簡便な操作方法にて紙折りを行える機能の一つとして、特許文献１の発明のような手段がある。この発明では、画像形成装置から排紙された用紙を折る紙折り装置を介して用紙を折らせる紙折り制御装置において、用紙サイズ,紙折り方式，綴じ代，スタンプの有無，スタンプの位置の少なくとも１つを含む紙折りの条件を記憶する記憶手段と、この記憶手段に記憶された紙折りの条件を前記用紙折り装置に送信し、前記紙折りの条件に基づいて前記用紙折り装置で用紙を折らせる制御手段と、を備えている事を特徴とする紙折り制御装置としており、表１のように、予め各用紙サイズに対しての折種類を複数登録、記憶可能な構成となっており、また、表１以外にも、例えばスタンプの有無，綴じ代の調整値等を、各用紙サイズ毎に登録できるようになっているため、紙折りを行いたい場合は、用紙サイズと複数登録した折り条件のうちいずれを使うかを選択するだけで、詳細な折り条件の指定をその都度行わなくても済むようになっている。この機能を特許文献１ではプログラム折りと称しているが、本発明でも同様にプログラム折りと呼称する。
【００４３】
【表１】
2007238256.tif 000003
【００４４】
本発明での「オフライン折り」によるプログラム折りの操作方法を、図３，図４および図７のフローチャートを用いて説明する。まず各用紙サイズに対しての折条件の登録方法を説明する。本実施例の操作部２０では、プログラム折りの登録は１番から７番までの７つまで登録可能としており、どのプログラム折り番号が選択されているかは、プログラム番号表示部の７つの表示器により表され、その選択にはプログラム番号選択プラス／マイナスボタン３１１により行われる。また本発明ではプログラム折りの紙折り条件に登録可能な情報として、折り種類，耳折り有無，パンチ有無，スタンプ有無及びジャバラ折り補正値，クロス折り補正値，綴じ代調整値がある。例としてプログラム番号１に紙折り条件を登録する。
【００４５】
まず、プログラム番号選択プラス／マイナスボタン３１１を何回か押下し（図７のＳ７１１）、プログラム番号表示部３２９のＮｏ．１が点灯された状態にする（Ｓ７１２）。次に用紙サイズ選択ボタン３０１と用紙サイズ表示部３２０及び用紙縦／横表示部３２１を用いて、登録する用紙サイズを指定する（Ｓ７１３）。例えばＡ０縦を指定したとする。次に指定した用紙サイズに対して行う各折り条件を、「オフライン折り」で説明した方法にて指定した（Ｓ７１４〜７１６）後、プログラム登録ボタン３０９を押下する（Ｓ７１７）と、プログラム番号１の用紙サイズＡ０縦に各折り条件が登録され、紙折りメモリ４１２に記憶される（Ｓ７１８）とともに、シリアルケーブル４０４を介して複写機本体装置２００に転送され（Ｓ７１９）、同様な紙折り条件は、本体制御ＣＰＵ４０１により本体メモリ４０２にも記憶されることとなる（Ｓ７２０）。
【００４６】
プログラム登録ボタン３０９押下により自動的に転送することも可能であるが、任意に転送を実行する事ができるように、プログラム登録ボタン３０９の押下時には転送は行わず、任意に転送ボタン３０７を押下した時に転送を実行するように構成しても良い。必要であれば、順次用紙サイズを変更し、各折り条件を指定した後、プログラム登録ボタン３０９を押下し、他の用紙サイズについても折り条件の登録を行う。
【００４７】
次に、登録した折り条件を呼び出して、プログラム折りを実行する方法を説明する。プログラム有効／無効ボタン３１０を押下し、プログラム折り有効表示部３２８を点灯状態とし、プログラム番号選択ボタン３１１にて登録したプログラム番号を指定する。先ほどの例ではプログラム番号１に折り条件を指定した為、プログラム番号表示部３２９のＮｏ．１を点灯させる。この状態で用紙サイズ選択ボタン３０１にて紙折りを行いたい用紙サイズを指定すると、操作部２０の各表示部は先ほど登録した折り条件となり、この状態で用紙を挿入し、一旦停止した後スタートボタン３０５を押下すると、プログラム登録した折り条件で紙折りが実行される。
【００４８】
「オンライン折り」でのプログラム折りを行いたい場合、一度オペレータによる「オフライン折り」の設定入力によりプログラム折り登録がなされていれば、すでに説明したとおり、折り条件は既に複写機２００体の本体メモリ４０２にも記憶されており、複写機２００の操作部２２０にも、紙折り装置１の操作部２０と同等の入力、表示手段が備わっている為、この操作部２２０にて紙折り条件を呼び出して、プログラム折りを行う。また、紙折りメモリ４１２がフラッシュＲＯＭのような不揮発性のメモリであった場合、一度紙折りメモリ４１２に記憶された紙折り条件は、紙折り装置１の電源がＯＦＦの状態であっても保持される為、紙折り装置１および複写機２００の電源が入れられた直後に、紙折りメモリ４１２の紙折り条件を複写機に転送し、本体メモリ４０２に記憶する事により、一旦プログラム折りの紙折り条件を設定すれば、以降、「オフライン折り」、「オンライン折り」ともにプログラム折りの紙折り条件を呼び出して、紙折りを行う事ができる。
【実施例２】
【００４９】
−第２実施例−
次に本発明の第２の実施例について説明する。第２実施例では、複写機２００と紙折り装置１が連結されていて、また図４のブロック図と同様に構成されているが、第２の実施例に置ける操作部２０を図８に示す通り、図３に示した第１実施例の操作部２０に比べて用紙サイズの指定部１００１とプログラム折り番号選択部１００２しかない簡便なものとなっている。第２実施例では、プログラム折りの紙折り条件を設定するのは、複写機２００の操作部２２０により登録、記憶をすると、第１実施例と同様にその紙折り条件は、紙折りメモリ４１２にも記憶される。「オフライン折り」の際には、第１の実施例で説明したプログラム折りの紙種条件の呼び出し方法と同じく、図８の操作部によりプログラム折り番号を選択し、用紙サイズを指定すれば、第１の実施例と同様に紙折りを実行する事ができ、また同等の機能を有する操作部を、複写機と紙折り装置双方に設けることなく、実現する事が可能である。なお、複写機２００の操作部２２０には、図４に示す操作部２０の、紙折り入力用のボタンおよびスイッチと表示手段があるので、ここで紙折り条件を詳細に設定して、複写機２００から紙折り装置１に転送してメモリ４１２に記憶するので、シート処理装置全体としての、詳細な紙折り条件入力機能は損なわれない。もう１つの実施態様では、複写機２００の操作部２２０には、紙折り入出力のためには、図８に示す操作部２０の、紙折り入力用のボタンおよびスイッチと表示手段程度の簡略入出力手段を備えて、紙折り装置１の操作部２０を、図４に示すものとする。この場合でも、シート処理装置全体としての、詳細な紙折り条件入力機能は損なわれない。
【００５０】
特に近年の複写機には、大型の液晶パネルを入力および表示に使用しており本発明の図３や図８に示した操作部２０よりも使用者にとってより使いやすいものを備えており、プログラム折りの折り条件登録方法もより直感的に分かりやすい操作方法の操作部を提供することが可能であるが、それと同等の操作部を紙折り装置側にも設ける事は、装置の価格を上げてしまうこととなるため、第２のような簡便な操作部を用いる事により装置価格を下げると共に、操作性に関しても劣ることがない。
【図面の簡単な説明】
【００５１】
【図１】本発明の第１実施例のシート処理装置の構成の概要を示す縦断面図である。
【図２】図１に示す紙折り装置１の、Ａ矢視方向で見た機構概要を示す拡大縦断面図である。
【図３】図１に示すシート処理装置の電装システムの概要を示すブロック図である。
【図４】図１および図２に示す操作部２０の拡大平面図である。
【図５】（ａ）は、図１に示す紙折り装置１によって折られた用紙の外観を示す斜視図、（ｂ）は折りの１過程での、用紙の折り形状を示す拡大斜視図、（ｃ）はさらに折りを加えた１過程での、用紙の折り形状を示す拡大斜視図、（ｄ）は（ａ）に示すように折りを終えた用紙の拡大縦断面図である。
【図６】オペレータが折り対象紙を紙折り装置１に挿入し紙折り装置１が自動折りを行う「オフライン折り」での、オペレータの操作手順を示すフローチャートである。
【図７】プログラム折りを登録するときの、オペレータの操作と該操作をうけた複写機２００又は紙折り装置１の制御ＣＰＵの動作を示すフローチャートである。
【図８】本発明の第２実施例の操作部２０の平面図である。
【符号の説明】
【００５２】
１：紙折り装置
２：連結部
３：端面折り部
４：ジャバラ折り部
５：搬送切換部
６：クロス折り部
７：反転部８：回転部
９：トレイ
１０：パンチ部
１１：手差し部
１２：手差し台
１３：手差し搬送ローラ対
２０：操作部
３０：スタンプ部
２００：複写機
２０５：画像読取装置
２０６：作像ユニット
２０７：レジストローラ
２０８：手差し給紙台
２０９：上排紙ローラ
２１０：定着装置
２１１：記録済用紙排出ロール
２２０：操作部
３０１：用紙サイズ選択ボタン
３０２：パンチ／耳折りボタン
３０３：モード選択ボタン
３０４：プラス／マイナスボタン
３０５：スタートボタン
３０６：スタンプボタン
３０７：転送ボタン
３０９：プログラム登録ボタン
３１０：プログラム有効／無効ボタン
３１１：プログラム番号選択プラス／マイナスボタン
３２０：用紙サイズ表示部
３２１：用紙縦／横表示部
３２２：折りモード表示部
３２３：折りモード表示指定表示部
３２５：パンチ表示部
３２６：スタンプ表示部
３２７：スタート表示部
３２８：プログラム折り有効表示部
３２９：プログラム番号表示部
【図１】
2007238256.tif 000004
【図２】
2007238256.tif 000005
【図３】
2007238256.tif 000006
【図４】
2007238256.tif 000007
【図５】
2007238256.tif 000008
【図６】
2007238256.tif 000009
【図７】
2007238256.tif 000010
【図８】
2007238256.tif 000011